(57)【特許請求の範囲】
【請求項１】
扁平に折り畳み可能の消防用ホース（１６）内に、前記消防用ホース（１６）と同程度の組織よりなり扁平に折り畳み可能の、前記消防用ホース（１６）よりも小径で高圧に耐える高圧ホース（１７）を挿通してなるホース（１５）の、前記消防用ホース（１６）の後端を低圧大量送水可能のポンプ（１１）に、前記高圧ホース（１７）の後端を高圧少量送水可能のポンプ（１２）にそれぞれ接続し、前記ホース（１５）の先端に、棒状放水ノズルチップ（１９）と噴霧放水ノズルチップ（２０）とを有する放水ノズル（１８）を結合し、高圧ホース（１７）を噴霧放水用ノズルチップ（２０）に、高圧ホース（１７）外の消防用ホース（１６）を棒状放水用ノズルチップ（１９）にそれぞれ接続すると共に、これらのノズルチップ（１９、２０）を切り替え可能としたことを特徴とする、消火装置
【発明の詳細な説明】
【０００１】
【発明の属する技術分野】
本発明は火災を消火するための装置に関するものであって、ポンプからホースを経由して送られた水をノズルから放水し、その水で建物火災を消火する装置に関するものである。
【０００２】
【従来の技術】
一般に建物火災を消火する場合には、水による消火が最も一般的である。この消火装置は図２に示すように、消防車１にエンジン２で駆動されるポンプ３が搭載され、当該ポンプ３から送られる水がホース４を通って、直噴ノズル５から棒状の水６として放水されるのが一般的である。
【０００３】
しかしながら、燃えさかる炎に大量の水を掛けて消火するには、前述のような直噴ノズル５から放出される棒状の水６が有効であるが、火災が下火になった後消防士が建物内に進入して消火する場合には、霧状の水を広範囲に放射する噴霧放水が有効である。
【０００４】
ところで噴霧放水の場合には、放水する水の量は多くはないものの、棒状放水に較べて高い圧力を必要とし、通常の棒状放水用のポンプ３では、噴霧放水に適する高圧を出すことができない。
【０００５】
そこで多くの場合、図２に示すように、消防車１に前記ポンプ３とは別に、小型のエンジン付き高圧ポンプ７を搭載しておき、前記ポンプ３とは別経路で、高圧ポンプ７から高圧ホース８を経て噴霧ノズル９から霧状の水１０として噴霧することが行われている。
【０００６】
また図３に示すように、消防車１のエンジン２によりポンプ３及び高圧ポンプ７を駆動し、それらから別系統でそれぞれ直噴ノズル５及び噴霧ノズル９に送水するものも知られている。
【０００７】
【発明が解決しようとする課題】
しかしながらこれらの消火装置では、直噴ノズル５と噴霧ノズル９とがそれぞれ別系統のポンプ３、７及びホース４、８に接続されているため、消火活動の途中で任意に棒状放水と噴霧放水とを切り替えることができない。
【０００８】
一般に棒状放水は、直噴ノズル５から水を真っ直ぐに放出するため、大量の水を遠くまで飛ばすことができるが、その反面放出された水は狭い範囲に集中し、燃えさかる炎に大量の水を集中させて消火するのに適しているが、小規模の炎に対しても不必要に大量の水を浴びせることとなり、火勢が弱まった状態で残火を消すような場合には不適切であり、無用の水損を生じる。
【０００９】
一方噴霧放水は、噴霧ノズル９から霧状の水１０を広い範囲に噴霧するので、水は噴霧ノズル９の近くにしか到達せず、激しく燃えさかる炎を遠くから水を集中させて消すには不適切であるが、火災の初期や火勢が弱まった状態で、炎の近傍から広い範囲に少量の水を掛けて消火するには適している。
【００１０】
従って火災の状況に応じて、火災の初期には噴霧放水で対応するのが好ましく、それでは消火しきれず火勢が強くなれば、消防士は後退して遠くから棒状放水で対応し、火勢が弱まれば屋内に進入して、再度噴霧放水に切り替え、残り火を確実に消火するのが好ましい。
【００１１】
また近年建物の耐火性の向上にともない、木造家屋全体が燃え上がるような火災は少なくなり、建物の内部のみが燃焼する形式の火災が増加している。かかる火災においては、噴霧放水のみによって消火が可能であることが多く、また使用水量が少ないので水損も少ない。
【００１２】
そのため、消防車１に搭載する消火装置として、噴霧放水の設備は不可欠であるが、火勢が強まった場合には噴霧放水では対応ができないため、従前の棒状放水の設備も不可欠であって、一台の消防車１に棒状放水と噴霧放水との両者の設備を搭載することが必要となるのである。
【００１３】
しかしながら前述のような装置では、棒状放水と噴霧放水とがそれぞれ別系統で行われるため、その切り替えのためにはホース４、８及びノズル５、９を取り替え、ポンプ３、７の駆動を切り替えなければならないのであって、緊急の消火活動において対応が遅れる可能性がある。
【００１４】
また消防用のノズルにおいて、一本のノズルで棒状放水と噴霧放水とを切り替えて行うことができるものも知られているが、噴霧放水のためには棒状放水に較べて高い圧力を必要とする。通常の消防車１にはタービンポンプが搭載されるが、有効な噴霧放水を行うには圧力が不十分であって、ノズルのみを切り替えても十分な噴霧放水を行うことができない。
【００１５】
また有効な噴霧放水を行うことができる高圧ポンプとしては、プランジャーポンプが適しているが、プランジャーポンプは水に高圧を付与するには適しているものの、タービンポンプに較べると送水量が少なく、棒状放水を行うには水量が不足する。
【００１６】
出願人は先に、タービンポンプと、プランジャーポンプとを並列に接続し、これら両ポンプからの吐出水を合流させ、棒状放水と噴霧放水とを切り換え可能のノズルに接続し、比較的低圧での棒状放水と高圧での噴霧放水とのを、任意に切り替えて行うことのできる消火装置を提案した。
【００１７】
しかしながらこのものにおいては、ポンプとノズルとを接続するホースが単一であるため、そのホースは棒状放水に適した大量の水を送水することができ、且つ噴霧放水に適した高圧に耐えるものであることが要求され、高圧で大量の水を送水する能力を有することが必要とされる。
【００１８】
低圧での棒状放水に適した通常の消防用ホースでは、噴霧放水の高圧に耐えることができず、また高圧に耐え且つ大量の水を送水することができるようにするためには、ホースは極めて肉厚の剛直なものとなり、迅速な消火活動が阻害される恐れがある。
【００１９】
本発明はかかる事情に鑑みなされたものであって、棒状放水と噴霧放水とを切り替えて行うことができ、且つ棒状放水においては十分に大量の水を放水することができ、噴霧放水においては十分に高圧で有効な噴霧放水を行うことのできる消火装置を提供することを目的とするものである。
【００２０】
【課題を解決する手段】
而して本発明は、扁平に折り畳み可能の消防用ホース内に、前記消防用ホースと同程度の組織よりなり扁平に折り畳み可能の、前記消防用ホースよりも小径で高圧に耐える高圧ホースを挿通してなるホースの、前記消防用ホースの後端を低圧大量送水可能のポンプに、前記高圧ホースの後端を高圧少量送水可能のポンプにそれぞれ接続し、前記ホースの先端に、棒状放水ノズルチップと噴霧放水ノズルチップとを有する放水ノズルを結合し、高圧ホースを噴霧放水用ノズルチップに、高圧ホース外の消防用ホースを棒状放水用ノズルチップにそれぞれ接続すると共に、これらのノズルチップを切り替え可能としたことを特徴とするものである。
【００２１】
【発明の実施の形態】
図１（ａ）は本発明の消火装置を示すものであって、消防車１にエンジン２で駆動される低圧大量送水可能のポンプ１１と、小型エンジン付きの高圧少量送水可能のポンプ１２とが搭載されており、ポンプ１２の吐出管１４の先端部はポンプ１１の吐出管１３内に進入している。
【００２２】
１５はホースであって、図１（ｂ）に示すように、扁平に折り畳み可能の消防用ホース１６内に、前記消防用ホース１６と同程度の組織よりなり、扁平に折り畳み可能であって、前記消防用ホース１６よりも小径で高圧に耐える高圧ホース１７が挿通された、二重ホースを形成している。
【００２３】
消防用ホースなどの筒状織物に内張り材を施した形態のホースは、一般的に薄肉円管として扱われ、耐圧力が径の大きさに対して反比例する。そのため前述のように消防用ホース１６内に挿通された消防用ホース１６よりも小径の高圧ホース１７は、消防用ホース１６と同程度の組織よりなるものであっても、十分な耐圧力を有し、高圧に耐えるものとなる。
【００２４】
而して消防用ホース１６の後端は、前記低圧大量送水可能のポンプ１１の吐出管１３に接続され、その消防用ホース１６内に挿通された高圧ホース１７の後端は、前記吐出管１３内において、高圧少量送水可能のポンプ１２の吐出管１４に接続されている。またこのホース１５の先端には、放水ノズル１８が接続されている。
【００２５】
本発明において使用する低圧大量送水可能のポンプ１１としては、タービンポンプが適しており、また高圧少量送水可能のポンプ１２としてはプランジャーポンプを使用するのが適当である。またこれらのポンプ１１、１２には、圧力が過大となるのを防止するための安全弁を設けるのが好ましい。
【００２６】
放水ノズル１８は、棒状放水用ノズルチップ１９と噴霧放水用ノズルチップ２０とを具えており、これらのノズルチップ１９、２０に送水する流路２１、２２が形成されている。
【００２７】
そして噴霧放水用ノズルチップ２０への流路２２の後端は前記高圧ホース１７に接続され、棒状放水用ノズルチップ１９への流路２１の後端は高圧ホース１７の外側の消防用ホース１６に接続されており、それらの流路２１、２２を切り替えバルブ２３によって切り替えることができるようになっている。
【００２８】
【作用】
本発明の消火装置を使用するには、二つのポンプ１１、１２を同時に駆動し、放水ノズル１８の切り替えバルブ２３で棒状放水用ノズルチップ１９と噴霧放水用ノズルチップ２０とを選択する。
【００２９】
先ず棒状放水用ノズルチップ１９を選択すると、低圧大量送水可能のポンプ１１から吐出される水が消防用ホース１６内の高圧ホース１７の外側を通って、放水ノズル１８の流路２１を通じて棒状放水用ノズルチップ１９から、棒状の水として放出される。またポンプ１２から吐出される水は放出されることなくポンプ１２は空回りし、一定の圧力を超えると安全弁から水槽に戻される。
【００３０】
次にこの状態で、前記放水ノズル１８の切り替えバルブ２３を操作して噴霧放水用ノズルチップ２０を選択すると、高圧少量送水可能のポンプ１２から吐出される水が高圧ホース１７内を通って、放水ノズル１８の流路２２を通じて噴霧放水用ノズルチップ２０から、噴霧水として放出される。またポンプ１１は空回りして水は放出されることなく、所定の圧力を超えると安全弁が作動して水は水槽に戻される。
【００３１】
【発明の効果】
従って本発明によれば、放水ノズル１８の切り替えバルブ２３を切り替えることにより、消防士が筒先において棒状放水と噴霧放水とを任意に切り替えて放水することができ、極めて効率よく消火活動を行うことができる。
【００３２】
また棒状放水においては、主として低圧大量送水可能のポンプ１１から大量の水が供給され、大口径の消防用ホース１６を通じて大量の水が送られるので、燃えさかる炎に対して離れた位置から大量の水を放出し、有効に消火することができる。
【００３３】
さらに噴霧放水においては、主として高圧少量送水可能のポンプ１２から高圧の水が供給され、その水が高圧ホース１７を通じて放水ノズル１８に送られるので、十分に高圧の水により有効な噴霧放水を行うことができる。
【００３４】
また通常高圧の水を送るためのホースは、外傷によりホースの耐圧力が低下して破断すると危険であるため、繊維で補強したゴムホースなどの、厚肉で扁平に折り畳むことのできないホースが使用されるが、本発明においては高圧ホース１７は消防用ホース１６内に挿通されており、傷付いて破断する恐れがないので、小口径の消防用ホースのような扁平に折り畳むことのできるものを使用することができる。
【００３５】
特に消防用ホースのような薄肉のホースにおいては、前述のように径と耐圧力とが反比例するため、高圧ホース１７が消防用ホース１６と同程度の組織の柔軟なホースであっても、消防用ホース１６よりも径が大幅に小さいために、耐圧力は十分に高いものとすることができる。
【００３６】
そのため消防用ホース１６に高圧ホース１７を挿通したホース１５は、全体として柔軟であって、通常の消防用ホースと同様に折り畳んだり巻回したりすることが可能であり、通常の消火活動においては通常の消防用ホースを取り扱うのと全く同様に取り扱うことが可能である。
【００３７】
しかもその高圧ホース１７は消防用ホース１６で覆われているために傷付くことがなく、さらに仮に傷付いて水が漏出してもその漏出先は消防用ホース１６内であってポンプ１１の安全弁から排出される。さらにまた高圧ホース１７が破断するようなことがあったとしても、消防用ホース１６内で破断するだけであり、外部に危険が及ぶことはない。
【００３８】
またこれらの棒状放水と噴霧放水との切り替えが、放水ノズル１８における切り替えバルブ２３の操作のみにより行われ、ノズルチップ１９、２０からの放水量の違いにより、それぞれの放水形態に適したポンプ１１、１２が主として機能し、所望の放水形態が得られる。
【００３９】
従って、放水形態を変更するために、ポンプ１１、１２を切り替えるための特別な操作を必要とせず、またそのための人員をも必要としないので、極めて効率よく消火活動を行うことができる。
【図面の簡単な説明】
【図１】  （ａ）は本発明の消火装置の概念図であり、（ｂ）はその消火装置におけるホースの横断面図である。
【図２】  従来の消火装置の概念図
【図３】  従来の他の消火装置の概念図
【符号の説明】
１１、１２  ポンプ
１５  ホース
１６  消防用ホース
１７  高圧ホース
１８  放水ノズル
１９  棒状放水用ノズルチップ
２０  噴霧放水用ノズルチップ
２３  切り替えバルブ
【図１】
0004726357.tif 000002
【図２】
0004726357.tif 000003
【図３】
0004726357.tif 000004